(57)【特許請求の範囲】
【請求項１】
特定の基地局識別情報を記憶するメモリ手段と、
利用可能な公衆基地局の制御チャネルを順次受信して基地局識別情報を取得する情報取得手段と、
上記情報取得手段で取得される受信信号強度が上位１位の制御チャネルに係る基地局識別情報が上記メモリ手段に記憶されている上記特定の基地局識別情報と一致するとき、上記特定の基地局識別情報に対応した特定位置に自端末が位置することを報知する報知手段と、
上記メモリ手段に記憶されている上記特定の基地局識別情報が上記情報取得手段で取得される受信信号強度が上位１位を除く上位所定位内の制御チャネルに係る基地局識別情報と一致するとき、上記特定の基地局識別情報に対応した特定位置に近い位置に自端末が位置することを報知する報知手段をさらに備える
ことを特徴とする通信端末装置。
【請求項２】
上記情報取得手段は、上記基地局識別情報を得る動作を一定期間毎に実行する
ことを特徴とする請求項１に記載の通信端末装置。
【請求項３】
他の通信端末装置に基地局識別情報の要求信号を送信する送信手段と、
上記要求信号に応じて上記他の通信端末装置より送られてくる上記基地局識別情報を受信して上記メモリ手段に上記特定の基地局識別情報として記憶する受信手段とをさらに備える
ことを特徴とする請求項１に記載の通信端末装置。
【請求項４】
上記他の通信端末装置より送られてくる上記基地局識別情報は、上記他の通信端末装置で利用可能な公衆基地局の制御チャネルを順次受信して得られる基地局識別情報のうち受信信号強度が上位１位の制御チャネルに係る基地局識別情報である
ことを特徴とする請求項３に記載の通信端末装置。
【請求項５】
上記情報取得手段で取得される受信信号強度が上位１位の制御チャネルに係る基地局識別情報を上記メモリ手段に上記特定の基地局識別情報として記憶する情報記憶手段をさらに備える
ことを特徴とする請求項１に記載の通信端末装置。
【請求項６】
上記メモリ手段に記憶される基地局識別情報は、自端末で同期確立しているまたは同期確立可能な制御チャネルに係る基地局識別情報である
ことを特徴とする請求項５に記載の通信端末装置。
【請求項７】
サービスセンタに基地局識別情報の送信を希望する場所を示すデータを送信する送信手段と、
上記データに応じて上記サービスセンタより送られてくる基地局識別情報を受信して上記メモリ手段に上記特定の基地局識別情報として記憶する受信手段とをさらに備える
ことを特徴とする請求項１に記載の通信端末装置。
【請求項８】
上記データは、上記基地局識別情報の送信を希望する場所と対になっている番号のデータである
ことを特徴とする請求項７に記載の通信端末装置。
【請求項９】
サービスセンタに基地局識別情報の送信を希望する場所のキーワードを送信する第１の送信手段と、
上記キーワードに応じて上記サービスセンタより送られてくる１若しくは複数の場所を含むリストを受信する第１の受信手段と、
上記第１の受信手段で受信された上記リストに含まれる１若しくは複数の場所より上記希望する場所が選択されるとき、上記サービスセンタに選択された場所を示すデータを送信する第２の送信手段と、
上記選択された場所を示すデータに応じて上記サービスセンタより送られてくる基地局識別情報を受信して上記メモリ手段に上記特定の基地局識別情報として記憶する第２の受信手段とをさらに備える
ことを特徴とする請求項１に記載の通信端末装置。
【請求項１０】
希望する場所に位置する基地局の基地局識別情報を入力する情報入力手段と、
上記情報入力手段で入力された基地局識別情報を上記メモリ手段に上記特定の基地局識別情報として記憶する情報記憶手段とをさらに備える
ことを特徴とする請求項１に記載の通信端末装置。
【請求項１１】
希望する場所に対応する番号を入力する情報入力手段と、
上記情報入力手段で入力された番号を上記希望する場所に位置する基地局の基地局識別情報に変換する情報変換手段と、
上記情報変換手段で変換されて得られる上記基地局識別情報を上記メモリ手段に上記特定の基地局識別情報として記憶する情報記憶手段とをさらに備える
ことを特徴とする請求項１に記載の通信端末装置。
【発明の詳細な説明】
【０００１】
【発明の属する技術分野】
この発明は、簡易型携帯電話機等に適用して好適な通信端末装置に関する。詳しくは、受信信号強度が上位１位の制御チャネルに係る基地局識別情報がメモリ手段に記憶されている特定の基地局識別情報と一致するとき、特定の基地局識別情報に対応した特定位置に自端末が位置することを報知することによって、自端末が特定位置にあることを携帯者が容易に認識し得るようにした通信端末装置に係るものである。
【０００２】
【従来の技術】
近年、通信端末装置、例えば簡易型携帯電話機（ＰＨＳ：Personal Handyphone System）の小型軽量化が進み、その携帯が容易となっている。通常、簡易型携帯電話機の携帯者がどこにいるかは、その電話機に電話をかけ、携帯者と通話をすることで確認することができる。
【０００３】
【発明が解決しようとする課題】
しかし、携帯者が地理に不案内な例えば幼児、児童等であるときは、携帯している電話機に電話をかけ、携帯者と通話をしたとしても、その携帯者がどこにいるかを認識することが困難な場合がある。このような場合、自己の簡易型携帯電話機が、上述した幼児、児童等がいる場所の近傍に位置するようになるとき、そのことを報知するものとすれば、これらの幼児、児童等を容易に発見でき、便利である。
【０００４】
そこで、この発明では、自端末が特定位置にあることを携帯者が容易に認識し得るようにした通信端末装置を提供することを目的とする。
【０００５】
【課題を解決するための手段】
この発明に係る通信端末装置は、特定の基地局識別情報を記憶するメモリ手段と、利用可能な公衆基地局の制御チャネルを順次受信して基地局識別情報を取得する情報取得手段と、情報取得手段で取得される受信信号強度が上位１位の制御チャネルに係る基地局識別情報がメモリ手段に記憶されている特定の基地局識別情報と一致するとき、特定の基地局識別情報に対応した特定位置に自端末が位置することを報知する報知手段と、メモリ手段に記憶されている特定の基地局識別情報が情報取得手段で取得される受信信号強度が上位１位を除く上位所定位内の制御チャネルに係る基地局識別情報と一致するとき、特定の基地局識別情報に対応した特定位置に近い位置に自端末が位置することを報知する報知手段をさらに備えるものである。
【０００６】
メモリ手段には、特定の基地局識別情報が記憶される。例えば、他の通信端末装置で同期確立可能な、あるいは同期確立している制御チャネルに係る基地局識別情報が記憶される。また例えば、自端末が同期確立可能な、あるいは同期確立している制御チャネルに係る基地局識別情報が記憶される。また例えば、サービスセンタより送られてくる希望する場所に位置する基地局の基地局識別情報が記憶される。さらに例えば、マニュアル入力された希望する場所に位置する基地局の基地局識別情報が記憶される。
【０００７】
情報取得手段では、ショートトラッキングをして、つまり利用可能な公衆基地局の制御チャネルを順次受信して基地局識別情報が取得される。なお、制御チャネルとの同期確立の動作では、受信信号強度が最大で、かつ選択レベル以上となる制御チャネルとの同期確立が行われる。上述した基地局識別情報を得る動作は、例えば一定期間毎に実行される。
【０００８】
報知手段では、情報取得手段で取得される受信信号強度が上位１位（最大）の制御チャネルに係る基地局識別情報がメモリ手段に記憶されている特定の基地局識別情報と一致するとき、特定の基地局識別情報に対応した特定位置に自端末が位置することが報知される。この報知は、例えば音、振動、光、表示等の方法で行われる。
【０００９】
これにより、携帯者は自端末が特定位置にあることを容易に認識可能となる。例えば、見つけ出したい幼児、児童等が携帯する通信端末装置で確立可能な、あるいは確立している制御チャネルに係る基地局識別情報を、その通信端末装置より送ってもらってメモリ手段に記憶しておくと、自端末が上述した幼児、児童等がいる場所の近傍に位置するようになるとき、そのことが報知され、幼児、児童等を容易に発見できるようになる。また例えば、電車等の降車場所で自端末が確立可能な、あるいは確立している制御チャネルに係る基地局識別情報をメモリ手段に予め記憶しておくと、自端末がその場所の近傍に位置するようになるとき、そのことが例えば音や振動で報知され、乗り過ごしを防止することが可能となる。
【００１０】
また、メモリ手段に記憶されている特定の基地局識別情報が情報取得手段で取得される受信信号強度が上位１位を除く上位所定位内の制御チャネルに係る基地局識別情報と一致するとき、特定の基地局識別情報に対応した特定位置に近い位置に自端末が位置することを報知する報知手段をさらに備える。これにより、携帯者は自端末が特定位置に近接した位置にあることを認識可能となる。
【００１１】
【発明の実施の形態】
以下、図面を参照しながら、この発明の実施の形態について説明する。図１は、実施の形態としての簡易型携帯電話機１００を示している。
【００１２】
この電話機１００は、マイクロコンピュータを有して構成され、システム全体を制御するための制御部１０１と、送受信用のアンテナ１０２と、このアンテナ１０２で捕らえられた所定周波数の受信信号をダウンコンバートしてπ／４シフトＱＰＳＫ（Quadrature Phase Shift Keying）信号を得ると共に、後述するディジタル変復調部より出力されるπ／４シフトＱＰＳＫ信号をアップコンバートして所定周波数の送信信号を得るための無線部１０３と、この無線部１０３より出力されるπ／４シフトＱＰＳＫ信号に復調処理をして受信データを得ると共に、後述するＴＤＭＡ（Time Division Multiple Access）処理部より出力される送信データに変調処理をしてπ／４シフトＱＰＳＫ信号を得るディジタル変復調部１０４とを有している。
【００１３】
また、電話機１００は、ディジタル変復調部１０４より出力される受信データ（複数スロットの時分割多重データ）より予め設定された下りスロットのデータを選択し、制御データおよび圧縮音声データに分離すると共に、後述する音声コーデック部より出力される圧縮音声データや、制御部１０１より出力される制御データを予め設定された上りスロットに多重するＴＤＭＡ処理部１０５を有している。
【００１４】
また、電話機１００は、ＴＤＭＡ処理部１０５より出力される圧縮音声データに対して復号化処理（誤り訂正処理を含む）をして受信音声信号を得ると共に、送信音声信号に対して圧縮符号化処理（誤り訂正符号の付加処理を含む）をして圧縮音声データを得るための音声コーデック部１０６と、この音声コーデック部１０６より出力される受信音声信号を増幅する低周波アンプ１０７と、このアンプ１０７の出力音声信号による音声を出力する受話器としてのスピーカ１０８と、音声コーデック部１０６より出力される受信音声信号がＤＴＭＦ信号である場合、このＤＴＭＦ信号を復調して４ビット（１ニブル）のＤＴＭＦ信号コードを得るＤＴＭＦ復調器１０９とを有している。この場合、ＤＴＭＦ復調器１０９で得られるＤＴＭＦ信号コードは制御部１０１に供給される。
【００１５】
また、電話機１００は、送話器としてのマイクロホン１１１と、このマイクロホン１１１より出力される音声信号を増幅する低周波アンプ１１２と、制御部１０１より供給されるＤＴＭＦ信号コードをＤＴＭＦ信号に変換するＤＴＭＦ変調器１１３と、アンプ１１２の出力音声信号またはＤＴＭＦ変調器１１３の出力ＤＴＭＦ信号を選択的に取り出して音声コーデック部１０６に送信音声信号として供給する切換スイッチ１１４とを有している。
【００１６】
この場合、切換スイッチ１１４のａ側の固定端子にはアンプ１１２の出力側が接続され、そのｂ側の固定端子にはＤＴＭＦ変調器１１３の出力側が接続される。切換スイッチ１１４は、制御部１０１によって制御され、ＤＴＭＦ信号を送信する場合はｂ側に接続され、その他の通話等を行う場合はａ側に接続される。
【００１７】
また、電話機１００は、ユーザが各種のキー操作を行うための操作部１１５と、液晶表示器等で構成される表示部１１６と、不揮発性メモリ１１７と、着信時に制御部１０１の制御によって呼出音を出力する呼出音出力部１１８と、後述する特定位置報知モードで特定位置を報知するための特定位置報知部１１９とを有している。これら操作部１１５、表示部１１６、不揮発性メモリ１１７、呼出音出力部１１８および特定位置報知部１１９は、それぞれ制御部１０１に接続されている。
【００１８】
ここで、操作部１１５には、発呼を指示したり、着信時に応答するための通話キー、通話を終了するための終話キー、電話番号を入力するためのテンキー、電話帳データの記憶や検索を行うためのキー、特定位置報知モードの設定や解除を行うためのキー等が配されている。表示部１１６には、システムの状態の他に、電話帳データの検索で選択された電話帳データ、テンキーで入力される電話番号等が表示される。不揮発性メモリ１１７には、電話帳データ等が記憶される他に、
特定位置報知モードで使用される特定の基地局識別情報（ＣＳ−ＩＤ）が記憶される。特定位置報知部１１９は、音、振動、光あるいは表示等のいずれかまたはその組み合わせで報知するようにされる。
【００１９】
また、制御部１０１は、上述せずもマイクロコンピュータの動作プログラム、ＤＴＭＦ信号コードをキャラクタコードに変換するための変換フォーマット等が書き込まれているＲＯＭ（read only memory）１２０と、ＤＴＭＦ復調器１０９で得られるＤＴＭＦ信号コード等を一時的に書き込むための作業用のＲＡＭ（random access memory）１２１とを備えている。
【００２０】
次に、図１に示す簡易型携帯電話機１００の動作を説明する。電源オン時には、制御チャネルとの同期がはずれた状態にあるので、基地局より送信される制御チャネルを受信して制御チャネルとの同期確立が行われる。この場合、利用可能な公衆基地局の制御チャネルを順次受信する、いわゆるショートトラッキングが行われ、受信信号強度（ＲＳＳＩ：Receive Signal Strength Indicate）が選択レベル以上で、かつ最大の制御チャネルが選択され、その制御チャネルとの同期確立が行われる。そしてその後に、同期確立が行われた制御チャネルに係る基地局のエリアにいるという位置登録が行われる。この位置登録は通話チャネルを使用して行われる。位置登録が終了した後は、同期確立が行われた制御チャネルの受信状態に戻って待ち受け状態となる。
【００２１】
図２は、論理制御チャネル（ＬＣＣＨ）の構成例を示している。ただし、ＴＤＭＡフレームの第１スロットを論理制御チャネル（ＬＣＣＨ）に割り当てると共に、ＬＣＣＨスーパーフレームをｎＴＤＭＡフレーム毎のｍ個の間欠送信スロットで構成した例である。
【００２２】
基地局（ＣＳ）の使用するスロットは、下り（送信）の４スロットとそれに続く上り（受信）の４スロットとによって５［ｍｓ］のＴＤＭＡフレームが構成される。そして、下り論理制御チャネル（ＬＣＣＨ）を構成するスロットはｎＴＤＭＡフレーム毎に存在する。すなわち、下り間欠送信周期は５×ｎ［ｍｓ］である。
【００２３】
また、すべてのＬＣＣＨ要素のスロット位置を指定する下り論理制御チャネル（ＬＣＣＨ）の最小周期（５×ｎ×ｍ［ｍｓ］）がＬＣＣＨスーパーフレームと定義される。下り論理制御チャネル（ＬＣＣＨ）は、報知チャネル（ＢＣＣＨ）、一斉呼び出しチャネル（ＰＣＨ）、個別セル用チャネル（ＳＣＣＨ）とで構成される。ＢＣＣＨはＬＣＣＨスーパーフレームの先頭スロットで送信され、このＢＣＣＨの送信によりＬＣＣＨの先頭位置が通知される。一方、上り論理制御チャネル（ＬＣＣＨ）は、個別セル用チャネル（ＳＣＣＨ）で構成される。上り論理制御チャネル（ＬＣＣＨ）のスロット位置は、ＢＣＣＨ上の無線チャネル情報報知メッセージ中の制御用キャリア構成情報要素によって基地局（ＣＳ)から移動局（ＰＳ)に通知される。
【００２４】
図３は、ＢＣＣＨの構成を示している。ＢＣＣＨはＣＳからＰＳに制御情報を報知するための下り片方向チャネルである。このＢＣＣＨによって、チャネル構造に関する情報、システム情報等が転送される。
【００２５】
ＢＣＣＨは、プリアンブルパターン（ＰＲ）、同期用ユニークワード（ＵＮ）、チャネル種別コード（ＣＩ）、発識別符号、データ（ＢＣＣＨ）および巡回誤り検出符号（ＣＲＣ）で構成される。そして、発識別符号（ＣＳ−ＩＤ）は、事業者識別符号、一斉呼出エリア番号および付加ＩＤで構成される。また、データ（ＢＣＣＨ）は、オクテット１〜オクテット８で構成される。そして、オクテット１の下位７ビットによって、オクテット２〜オクテット８によるメッセージの種別が示される。
【００２６】
図４は、ＳＣＣＨの構成を示している。ＳＣＣＨはＣＳとＰＳの間で呼接続に必要な情報を転送するポイント-ポイントの双方向チャネルである。このＳＣＣＨでは、セル毎に独立の情報が転送される。
【００２７】
ＳＣＣＨは、プリアンブルパターン（ＰＲ）、同期用ユニークワード（ＵＮ）、チャネル種別コード（ＣＩ）、発識別符号、着識別符号、データ（ＳＣＣＨ）および巡回誤り検出符号（ＣＲＣ）で構成される。そして、ＳＣＣＨ（下り）において、発識別符号（ＣＳ−ＩＤ）は事業者識別符号、一斉呼出エリア番号および付加ＩＤで構成され、着識別符号はＰＳ呼出符号（ＰＳ−ＩＤ）で構成される。図示せずも、ＳＣＣＨ（上り）では、上述した発識別符号が着識別符号となり、上述した着識別符号が発識別符号となる。また、データ（ＳＣＣＨ）は、オクテット１〜オクテット５で構成される。そして、オクテット１の下位７ビットによって、オクテット２〜オクテット５によるメッセージの種別が示される。
【００２８】
ＰＣＨは、ＣＳからＰＳに対して、単一セルあるいは複数セルの広いエリア（一斉呼出エリア）に同一の情報を一斉に転送するポイント-マルチポイントの下り片方向チャネルである。このＰＣＨによって、ＣＳはＰＳに対して着信があったことを通知する。図２に示すように、ＬＣＣＨスーパーフレームには複数個のＰＣＨ（ＰＣＨ１〜ＰＣＨｎ）が存在する。
【００２９】
図５は、ＰＣＨの構成を示している。ＰＣＨは、プリアンブルパターン（ＰＲ）、同期用ユニークワード（ＵＮ）、チャネル種別コード（ＣＩ）、発識別符号、データ（ＰＣＨ）および巡回誤り検出符号（ＣＲＣ）で構成される。そして、発識別符号は、事業者識別符号、一斉呼出エリア番号および付加ＩＤで構成される。また、データ（ＰＣＨ）は、オクテット１〜オクテット８で構成される。
【００３０】
この場合、ＰＣＨは単一のメッセージのみを定義するため、メッセージ種別を示す領域はない。オクテット１の５〜７ビットで、呼出なし、ＢＣＤ１３桁以下のＰＳ番号による呼出サービス、１６進７桁のＰＳ番号による呼出サービスである等の呼出サービス種別が表示される。そして、オクテット１〜７によってＰＳ番号が示される。さらに、オクテット８によって、報知チャネル（ＢＣＣＨ）の受信指示が行われる。後述する間欠受信時に変化が生じた場合、ＰＳは、この受信指示によってＢＣＣＨを受信する。
【００３１】
なお、ＰＳは、着信群番号によって複数のＰＣＨ（ＰＣＨ１〜ＰＣＨｎ）より受信すべきＰＣＨを認識する。ＰＳは、ＰＳ番号とＣＳからのＢＣＣＨの内容（ｎPCH、ｎGROUP、制御用キャリア構成）に基づき、（１）式によって、着信群番号が算出される。ここで、ｎPCHは同一着信群数、ｎGROUPは着信群分ファクタである。また、２周波（２ＬＣＣＨ）を使用しＰＣＨの着信群が相互に関係する場合はＸ＝２であり、それ以外ではＸ＝１である。
【００３２】
着信群番号＝（ＰＳ番号）ＭＯＤ（ｎPCH×ｎGROUP×Ｘ）＋１  ・・・（１）
上述したように、位置登録が終了した後は、制御チャネルの受信状態に戻って待ち受け状態となる。この待ち受け状態では、電話機（ＰＳ）１００は、算出した着信群番号に対応するＰＣＨのみを受信する間欠受信に移行する。この場合、算出した着信群番号に対応するＰＣＨはＬＣＣＨスーパーフレーム毎に存在することから、従来待ち受け状態では、例えば１．２秒毎の間欠受信が行われている。
【００３３】
図６は、待ち受け状態におけるＰＣＨの間欠受信の動作を示している。自己の着信群番号に対応するＰＣＨがＰＣＨaであるとする。まず、最初に、制御チャネルの連続受信を行って、ＢＣＣＨを受信する。このＢＣＣＨ中の情報より自己の着信群番号を算出し、その着信群番号に基づいて受信タイミングを算出してＰＣＨaを受信する。そして、それ以後は、一定の受信タイミングでＰＣＨaのみを間欠受信する。
【００３４】
通話を行う場合の動作について説明する。この場合、例えば操作部１１５のキー操作で相手側の電話番号を入力し、あるいは電話帳データを検索した後に通話キーを操作すると、発呼処理が行われる。すなわち、制御部１０１より制御データとして電話番号データ等がＴＤＭＡ処理部１０５に供給されて制御チャネルで基地局に送信される。これにより、相手側との回線接続が行われて通話可能状態となる。
【００３５】
ここで、通話は通話チャネルを使用して行われるが、回線接続処理時に制御チャネルを使用して基地局より通話チャネルの通信周波数およびスロット位置のデータが制御データとして送信されてＴＤＭＡ処理部１０５より制御部１０１に供給される。制御部１０１は、通信周波数データに基づいて無線部１０３を制御して送受信周波数が通話チャネルの通信周波数と一致するようにすると共に、スロット位置データに基づいてＴＤＭＡ処理部１０５で選択されるスロットを設定する。よって、通話は基地局より通知された通話チャネルを使用して行われる。
【００３６】
ここで、図７を参照して、通話時における通信用物理スロットの構成を説明する。基地局（ＣＳ）の使用するスロットは、下り（送信）の４スロットとそれに続く上り（受信）の４スロットとによって、５［ｍｓ］のＴＤＭＡフレームが構成される。ＰＳは、各ＴＤＭＡフレームにおいて、上りの設定スロットでデータをＣＳに送信し、下りの設定スロットのデータを受信データとする。
【００３７】
また、制御チャネルを使用して基地局より制御データとして呼出データが送信され、この呼出データがＴＤＭＡ処理部１０５より制御部１０１に供給されて着信が検出されると、制御部１０１によって呼出音出力部１１８が制御されて呼出音が出力される。
【００３８】
この呼び出し動作が行われている状態で、通話キーが操作されて応答があると、制御部１０１より制御データとして応答データがＴＤＭＡ処理部１０５に供給されて基地局に制御チャネルで送信される。これにより、相手側との回線接続が行われて通話可能状態となる。この場合も、通話は基地局より通知された通話チャネルを使用して行われる。
【００３９】
通話状態では、通話チャネルで送信されてきた圧縮音声データがＴＤＭＡ処理部１０５より出力される。この圧縮音声データは音声コーデック部１０６に供給されて復号化処理が行われた後にアナログ信号に変換される。そして、音声コーデック部１０６より出力される受信音声信号がアンプ１０７を介してスピーカ１０８に供給され、このスピーカ１０８より受信音声信号による音声が出力される。
【００４０】
また、マイクロホン１１１より出力される送信音声信号はアンプ１１２で増幅された後に音声コーデック部１０６に供給されてディジタル信号に変換された後に圧縮符号化処理されて圧縮音声データが形成される。そして、音声コーデック部１０６より出力される圧縮音声データがＴＤＭＡ処理部１０５に供給され、通話チャネルで相手側に送信される。
【００４１】
次に、図８のフローチャートを使用して、ユーザの操作部１１５のキー操作によって特定位置報知モードに設定された場合の制御部１０１の制御動作を説明する。
【００４２】
特定位置報知モードに設定されると、まずステップＳＴ１で、利用可能な公衆基地局の制御チャネルを順次受信する、いわゆるショートトラッキングをする。そして、ステップＳＴ２で、受信信号強度が上位所定数に入る制御チャネルに係る基地局識別情報（ＣＳ−ＩＤ）をＲＡＭ１２１に記憶する。そして、ステップＳＴ３で、受信信号強度が上位１位（最大）の制御チャネルに係る基地局識別情報が不揮発性メモリ１１７に記憶されている特定の基地局識別情報と一致するか否かを判定する。
【００４３】
ステップＳＴ３で、双方の基地局識別情報が一致するときは、ステップＳＴ４で、特定位置報知部１１９を制御し、自端末が特定の基地局識別情報に対応した特定位置、つまり特定の基地局識別情報を持つ基地局のエリアにあることを報知し、ステップＳＴ５で、待ち受け状態に移行する。
【００４４】
また、ステップＳＴ３で双方の基地局識別情報が一致しないときは、ステップＳＴ６で、受信信号強度が上位所定位内（上位１位を除く）の制御チャネルに係る基地局識別情報に特定の基地局識別情報があるか否かを判定する。特定の基地局識別情報がないときは、ステップＳＴ７で、所定時間が経過したか否かを判定し、ステップＳＴ８で、モード解除操作があるか否かを判定する。一方、特定の基地局識別情報があるときは、ステップＳＴ９で、特定位置報知部１１９を制御し、特定の基地局識別情報に対応した特定位置に近接した位置にあることを報知して、ステップＳＴ７に進む。例えば、「接近中」や「付近」等の文字表示が行われる。
【００４５】
そして、モード解除操作が行われることなく、所定時間が経過したときは、ステップＳＴ１に戻って、ショートトラッキングをし、ステップＳＴ２で、受信信号強度が上位所定数に入る制御チャネルに係る基地局識別情報をＲＡＭ１２１に記憶し、以下上述したと同様の制御動作を繰り返し実行する。なお、所定時間が経過する前にモード解除操作があるときは、直ちにステップＳＴ５に進んで、待ち受け状態に移行する。
【００４６】
上述したように、図１に示す電話機１００は、特定位置報知モードに設定すると、自端末が特定の基地局識別情報に対応する特定位置に位置するようになるとき、そのことが特定位置報知部１１９により報知される。したがって、携帯者は、自端末が特定位置にあることを容易に認識可能となる。また、自端末がその特定位置の近傍に位置するようになるとき、そのことが特定位置報知部１１９により報知される。したがって、携帯者は、自端末が特定位置に近接した位置にあることを容易に認識可能となる。
【００４７】
次に、不揮発性メモリ１１７に記憶される特定の基地局識別情報の入手例を説明する。
【００４８】
図９は、他の簡易型携帯電話機２００より特定の基地局識別情報を得る例を示す制御シーケンス図である。電話機１００は、ステップＳＴ１０１で、基地局識別情報を取得するための操作が行われると、ステップＳＴ１０２で、電話機２００に基地局識別情報の要求信号Ｓ１を送信する。この要求信号Ｓ１の送信は、例えばＤＴＭＦ信号で行われる。
【００４９】
電話機２００は、基地局識別情報の要求信号Ｓ１を受信すると、ステップＳＴ２０１で、セキュリティチェックをする。すなわち、電話機２００には、上述せずも基地局識別情報の送信を許可する端末装置が予め登録されており、電話機２００は電話機１００が登録されている端末装置に含まれているか否かを確認する。電話機１００が基地局識別情報の送信を許可する端末装置でないときは、以後の動作は行われず、結果的に電話機２００より電話機１００には、基地局識別情報は送信されない。
【００５０】
電話機１００が基地局識別情報の送信を許可する端末装置であるとき、電話機２００は、ステップＳＴ２０２で、ショートトラッキングをして、つまり利用可能な公衆基地局の制御チャネルを順次受信し、受信信号強度が上位１位の制御チャネルに係る基地局識別情報Ｓ２を得る。なお、電話機２００は、この基地局識別情報Ｓ２を得る動作を一定期間毎に実行し、その都度得られる基地局識別情報Ｓ２をＲＡＭ等に記憶しておき、ステップＳＴ２０２ではショートトラッキングをせずに、ＲＡＭ等より読み出すことで、基地局識別情報Ｓ２を得るようにしてもよい。また、この基地局識別情報Ｓ２は、電話機２００において同期確立している制御チャネルに係る基地局識別情報であってもよい。
【００５１】
電話機２００は、ステップＳＴ２０２で基地局識別情報Ｓ２を得た後、ステップＳＴ２０３で、その基地局識別情報Ｓ２を電話機１００に送信する。この基地局識別情報Ｓ２の送信は、例えばＤＴＭＦ信号で行われる。電話機１００は、この基地局識別情報Ｓ２を受信すると、ステップＳＴ１０３で、その基地局識別情報Ｓ２を特定の基地局識別情報として不揮発性メモリ１１７に記憶する。
【００５２】
上述したように、他の簡易型携帯電話機２００より特定の基地局識別情報を得るものによれば、例えば見つけ出したい幼児、児童等が携帯する簡易型携帯電話機２００より基地局識別情報Ｓ２を送ってもらって電話機１００の不揮発性メモリ１１７に記憶することもできる。これにより、自端末（電話機１００）が上述した幼児、児童等がいる場所の近傍に位置するようになるとき、そのことが報知され、幼児、児童等を容易に発見できるようになる。
【００５３】
また、自端末が同期確立可能な、あるいは同期確立している制御チャネルに係る基地局識別情報を、特定の基地局識別情報とすることも考えられる。
【００５４】
図１０は、自端末が同期確立可能な制御チャネルに係る基地局識別情報を特定の基地局識別情報とするための制御動作を示すフローチャートである。ステップＳＴ１１１で、基地局識別情報を記憶するための操作が行われると、ステップＳＴ１１２で、利用可能な公衆基地局の制御チャネルを順次受信する、いわゆるショートトラッキングをする。
【００５５】
そして、ステップＳＴ１１３で、受信信号強度が選択レベル以上の制御チャネル、つまり同期確立可能な制御チャネルがあるか否かを判定する。同期確立可能な制御チャネルがあるときは、ステップＳＴ１１４で、受信信号強度が最大で、かつ選択レベル以上となる制御チャネルに係る基地局識別情報を不揮発性メモリ１１７に特定の基地局識別情報として記憶し、動作を終了する。一方、同期確立可能な制御チャネルがないときは、ステップＳＴ１１５で、例えば表示部１１６に記憶できない旨を表示して報知し、動作を終了する。
【００５６】
図１１は、自端末が同期確立している制御チャネルに係る基地局識別情報を特定の基地局識別情報とするための制御動作を示すフローチャートである。ステップＳＴ１２１で、基地局識別情報を記憶するための操作が行われると、ステップＳＴ１２２で、制御チャネルとの同期が確立しているか否かを判定する。
【００５７】
制御チャネルとの同期が確立しているときは、ステップＳＴ１２３で、同期確立している制御チャネルに係る基地局識別情報を不揮発性メモリ１１７に特定の基地局識別情報として記憶し、動作を終了する。一方、制御チャネルとの同期が確立していないときは、ステップＳＴ１２４で、例えば表示部１１６に記憶できない旨を表示して報知し、動作を終了する。
【００５８】
上述したように、自端末（電話機１００）が同期確立可能な、あるいは同期確立している制御チャネルに係る基地局識別情報を、特定の基地局識別情報とするものによれば、例えば、電車等の降車場所で基地局識別情報を記憶する操作を予め行っておくことで、自端末がその場所の近傍に位置するようになるとき、そのことが例えば音や振動で報知され、乗り過ごしを防止することが可能となる。
【００５９】
また、希望する場所の基地局識別情報をサービスセンタより特定の基地局識別情報として得ることも考えられる。
【００６０】
図１２は、サービスセンタ３００より特定の基地局識別情報を得る例を示す制御シーケンス図である。電話機１００は、ステップＳＴ１３１で、希望する場所の番号をリストから選択して入力する操作を含む、基地局識別情報を取得するための操作が行われると、ステップＳＴ１３２で、サービスセンタ３００に上述した希望する場所の番号Ｓ３を送信する。この番号Ｓ３の送信は、例えばＤＴＭＦ信号で行われる。
【００６１】
サービスセンタ３００は、場所を示す番号を、その場所に位置する基地局の基地局識別情報に変換する手段を備えている。サービスセンタ３００は、電話機１００より送られてくる番号Ｓ３を受信すると、ステップＳＴ３０１で、その番号Ｓ３を基地局識別情報Ｓ４に変換し、その基地局識別情報Ｓ４を電話機１００に送信する。この基地局識別情報Ｓ４の送信は、例えばＤＴＭＦ信号で行われる。電話機１００は、この基地局識別情報Ｓ４を受信すると、ステップＳＴ１３３で、その基地局識別情報Ｓ４を特定の基地局識別情報として不揮発性メモリ１１７に記憶する。
【００６２】
図１３は、サービスセンタ３００より特定の基地局識別情報を得る他の例を示す制御シーケンス図である。電話機１００は、ステップＳＴ１４１で、希望する場所のキーワード（例えば希望する場所を含むエリア名）を入力する操作を伴う、基地局識別情報を取得するための操作が行われると、ステップＳＴ１４２で、サービスセンタ３００に上述した希望する場所のキーワードＳ５を送信する。このキーワードＳ５の送信は、例えばＤＴＭＦ信号で行われる。
【００６３】
サービスセンタ３００は、各キーワード毎に複数の場所を含むリストを備えている。サービスセンタ３００は、電話機１００より送られてくるキーワードＳ５を受信すると、ステップＳＴ３１１で、そのキーワードＳ５に対応するリストＳ６を選択し、そのリストＳ６を電話機１００に送信する。このリストＳ６の送信は、例えばＤＴＭＦ信号で行われる。
【００６４】
電話機１００は、リストＳ６を受信すると、ステップＳＴ１４３で、表示部１１６にリストを表示する。電話機１００の携帯者（ユーザ）は、ステップＳＴ１４４で、表示部１１６に表示されたリストより希望する場所を選択する。なお、リストに希望する場所がないときは、ステップＳＴ１４１に戻り、再度キーワードを入力し、上述した動作を繰り返すようにする。
【００６５】
ステップＳＴ１４４でリストより希望する場所が選択されると、ステップＳＴ１４５で、選択した場所のデータＳ７、例えば番号データをサービスセンタ３００に送信する。この選択した場所のデータＳ７の送信は、例えばＤＴＭＦ信号で行われる。
【００６６】
サービスセンタ３００は、選択した場所のデータＳ７を受信すると、ステップＳＴ３１２で、データＳ７を選択した場所に位置する基地局の基地局識別情報Ｓ８に変換し、その基地局識別情報Ｓ８を電話機１００に送信する。この基地局識別情報Ｓ８の送信は、例えばＤＴＭＦ信号で行われる。電話機１００は、この基地局識別情報Ｓ８を受信すると、ステップＳＴ１４６で、その基地局識別情報Ｓ８を特定の基地局識別情報として不揮発性メモリ１１７に記憶する。
【００６７】
上述したように、サービスセンタ３００より希望する場所に位置する基地局の基地局識別情報Ｓ８を特定の基地局識別情報として得るものによれば、自端末（電話機１００）が上述した希望する場所に位置するようになるとき、そのことが報知される。
【００６８】
また、希望する場所の基地局識別情報をマニュアル入力することも考えられる。
【００６９】
図１４は、基地局識別情報のマニュアル入力モードとしたときの制御部１０１の制御動作の一例を示すフローチャートである。マニュアル入力モードに設定された後に、ステップＳＴ１５１で、希望する場所に位置する基地局の基地局識別情報を入力すると、ステップＳＴ１５２で、その基地局識別情報を不揮発性メモリ１１７に特定の基地局識別情報として記憶し、動作を終了する。
【００７０】
また、図１５は、基地局識別情報のマニュアル入力モードとしたときの制御部１０１の制御動作の他の例を示すフローチャートである。マニュアル入力モードに設定された後に、ステップＳＴ１６１で、図１６に示すような番号と場所との対応を示す図を参照して、希望する場所に対応する番号を入力する。電話機１００の制御部１０１は、入力された番号を、希望する場所に位置する基地局の基地局識別情報に変換する機能を備えている。そのため、ステップＳＴ１６２で、入力される番号を、希望する場所に位置する基地局の基地局識別情報に変換し、ステップＳＴ１６３で、その基地局識別情報を不揮発性メモリ１１７に特定の基地局識別情報として記憶し、動作を終了する。
【００７１】
上述したように、マニュアル入力モードとして、希望する場所に位置する基地局の基地局識別情報を不揮発性メモリ１１７に特定の基地局識別情報として記憶するものによれば、自端末（電話機１００）が上述した希望する場所に位置するようになるとき、そのことが報知される。
【００７２】
なお、上述実施の形態においては、通信端末装置が簡易型携帯電話機であるものを示したが、この発明はその他の通信端末装置にも同様に適用できることは勿論である。
【００７３】
【発明の効果】
この発明によれば、受信信号強度が上位１位（最大）の制御チャネルに係る基地局識別情報がメモリ手段に記憶されている特定の基地局識別情報と一致するとき、特定の基地局識別情報に対応した特定位置に自端末が位置することを報知するものであり、自端末が特定位置にあることを携帯者が容易に認識可能となる。
【００７４】
そのため、例えば、見つけ出したい幼児、児童等が携帯する通信端末装置で同期確立可能な、あるいは同期確立している制御チャネルに係る基地局識別情報を、その通信端末装置より送ってもらってメモリ手段に記憶しておくと、自端末が上述した幼児、児童等がいる場所の近傍に位置するようになるとき、そのことが報知され、幼児、児童等を容易に発見できるようになる。
【００７５】
また例えば、電車等の降車場所で自端末が同期確立可能な、あるいは同期確立している制御チャネルに係る基地局識別情報をメモリ手段に予め記憶しておくと、自端末がその場所の近傍に位置するようになるとき、そのことが例えば音や振動で報知され、乗り過ごしを防止することが可能となる。
【図面の簡単な説明】
【図１】実施の形態としての簡易型携帯電話機（ＰＨＳ）の構成を示すブロック図である。
【図２】論理制御チャネル（ＬＣＣＨ）の構成を示す図である。
【図３】ＢＣＣＨの構成を示す図である。
【図４】ＳＣＣＨの構成を示す図である。
【図５】ＰＣＨの構成を示す図である。
【図６】待ち受け状態におけるＰＣＨの間欠受信の動作を示す図である。
【図７】通話時における通信用物理スロットの構成を示す図である。
【図８】特定位置報知モードの設定時の動作を説明するためのフローチャートである。
【図９】他の簡易型携帯電話機より特定の基地局識別情報を得る例を示す制御シーケンス図である。
【図１０】自端末が同期確立可能な制御チャネルに係る基地局識別情報を特定の基地局識別情報とするための制御動作を示すフローチャートである。
【図１１】自端末が同期確立している制御チャネルに係る基地局識別情報を特定の基地局識別情報とするための制御動作を示すフローチャートである。
【図１２】サービスセンタより特定の基地局識別情報を得る例を示す制御シーケンス図である。
【図１３】サービスセンタより特定の基地局識別情報を得る他の例を示す制御シーケンス図である。
【図１４】基地局識別情報のマニュアル入力モードとしたときの制御動作の一例を示すフローチャートである。
【図１５】基地局識別情報のマニュアル入力モードとしたときの制御動作の他の例を示すフローチャートである。
【図１６】番号と場所との対応例を示す図である。
【符号の説明】
１００  簡易型携帯電話機
１０１  制御部
１０２  送受信用のアンテナ
１０３  無線部
１０４  ディジタル変復調部
１０５  ＴＤＭＡ処理部
１０６  音声コーデック部
１０７，１１２  低周波アンプ
１０８  スピーカ
１０９  ＤＴＭＦ復調器
１１１  マイクロホン
１１３  ＤＴＭＦ変調器
１１４  切換スイッチ
１１５  操作部
１１６  表示部
１１７  不揮発性メモリ
１１８  呼出音出力部
１１９  特定位置報知部
２００  他の簡易型携帯電話機
３００  サービスセンタ
【図１】
0004003281.tif 000002
【図２】
0004003281.tif 000003
【図３】
0004003281.tif 000004
【図４】
0004003281.tif 000005
【図５】
0004003281.tif 000006
【図６】
0004003281.tif 000007
【図７】
0004003281.tif 000008
【図８】
0004003281.tif 000009
【図９】
0004003281.tif 000010
【図１０】
0004003281.tif 000011
【図１１】
0004003281.tif 000012
【図１２】
0004003281.tif 000013
【図１３】
0004003281.tif 000014
【図１４】
0004003281.tif 000015
【図１５】
0004003281.tif 000016
【図１６】
0004003281.tif 000017